(57)【要約】【課題】  端部から長手方向に亘ってスリットが形成されている回転軸の端部にスリットのない継手軸を簡単に、且つ、強固に装着できる継手装置を提供すること。【解決手段】  端部から長手方向に亘ってスリットを形成した回転軸と、同回転軸の端部に形成された凹部に嵌合する小径の連結軸を形成した前記回転軸と同径の継手軸及び前記回転軸と同径の孔を中央に形成した連結リングとから構成され、回転軸の上端の凹部に継手軸の連結軸を嵌合した後、連結リングの孔を前記回転軸と連結軸の嵌合部の位置迄挿通し、回転軸のスリットに対して略直交する位置において連結リングの外周から中央の孔に向かって形成されたネジ孔に螺合する締め付けネジによって回転軸と継手軸を固定することを特徴とする。【選択図】        図１
2006077968.tif 000002
【特許請求の範囲】
【請求項１】
端部から長手方向に亘ってスリットを形成した回転軸と、同回転軸の端部に形成された凹部に嵌合する小径の連結軸を形成した前記回転軸と同径の継手軸及び前記回転軸と同径の孔を中央に形成した連結リングとから構成され、回転軸の上端の凹部に継手軸の連結軸を嵌合した後、連結リングの孔を前記回転軸と連結軸の嵌合部の位置迄挿通し、回転軸のスリットに対して略直交する位置において連結リングの外周から中央の孔に向かって形成されたネジ孔に螺合する締め付けネジによって回転軸と継手軸を固定することを特徴とする回転軸の継手装置。
【発明の詳細な説明】
【技術分野】
【０００１】  本発明は、端部から長手方向に亘ってスリットを形成した回転軸において、この回転軸のスリットが気密保持するときに支障とならないようにする回転軸の継手装置に関するものである。
【発明の開示】
【発明が解決しようとする課題】
【０００２】  一般に、回転軸は様々な機械装置に使用され、気密保持の必要がない機械では回転軸に端部から長手方向に亘ってスリットがあろうとなかろうと機械的強度は殆ど問題にはならなかった。【０００３】  然しながら、ゼンマイバネの復元力を利用してバルブの開閉を制御するバルブ用アクチュエータの出力軸にあっては、ゼンマイバネの内端を係止するためには回転軸の端部から長手方向に亘ってスリットを形成する必要があり、回転軸の端部が装置を保護するためのケーシングから突出する場合がある。【０００４】  例えば、特許第３４８８８９３号明細書に記載されるようなアクチュエータにあっては、モ−タの駆動により出力軸を回転させてバルブを開放するときに、ゼンマイバネを巻き、モ−タへの通電を断ったときにゼンマイバネの復元力で出力軸をバルブ閉鎖方向に回転させてバルブを開閉させるようにしたもので、出力軸そのものにゼンマイバネを巻きつけるものであるから、図３のように、ゼンマイバネａの内端を軸端部から差し入れて係止するために回転軸ｂの端部から長手方向に亘ってスリットｓが形成されている。【０００５】  而して、端部から長手方向に亘ってスリットｓが形成されている回転軸ｂの端部がケーシング内で枢支されている場合は何等問題はないが、図３のように、手動操作するためのハンドルを設けたり、バルブの開閉表示をするインジケータを設けたりするために、回転軸ｂの端部がケーシングｃから突出させていると、このスリットｓから大気の流入があってケーシングの気密保持ができず、ケーシング内の防塵、防滴ができないという問題点があった。
【発明の目的】
【０００６】  本発明は、端部から長手方向に亘ってスリットが形成されている回転軸の端部にスリットのない継手軸を簡単に、且つ、強固に装着できる継手装置を提供することを目的とするものである。
【課題を解決するための手段】
【０００７】  本発明に係る回転軸の継手装置は、端部から長手方向に亘ってスリットを形成した回転軸と、同回転軸の端部に形成された凹部に嵌合する小径の連結軸を形成した前記回転軸と同径の継手軸及び前記回転軸と同径の孔を中央に形成した連結リングとから構成され、回転軸の上端の凹部に継手軸の連結軸を嵌合した後、連結リングの孔を前記回転軸と連結軸の嵌合部の位置迄挿通し、回転軸のスリットに対して略直交する位置において連結リングの外周から中央の孔に向かって形成されたネジ孔に螺合する締め付けネジによって回転軸と継手軸を固定することを特徴とするものである。
【発明の作用】
【０００８】  本発明は、連結リングの締め付けネジを締めることによって、凹部のある回転軸端部の外周が内径が縮む方向に押され、凹部の内側壁が連結軸に密着して強固に連結される。
【実施例】
【０００９】  図１は、本発明に係る継手装置によって連結した回転軸を使用したバルブ用アクチュエータの要部縦断側面図、図２は、図１のＡ−Ａ線において回転軸を略９０°回転させた状態での拡大横断面図である。【００１０】  図において、１は、ゼンマイバネａの内端を端部から差し入れるためのスリット１−１を長手方向に亘って形成した回転軸で、同上端には凹部１−２が形成されている。【００１１】  ２は、下端に前記回転軸１の凹部１−２に嵌合する小径の連結軸２−１を形成した回転軸１と同径のスリットのない継手軸である。【００１２】  ３は、前記回転軸１と同径の孔３−１を中央に形成した連結リングであって、連結リングの外周から中央の孔３−１に向かって形成されたネジ孔３−２が形成されている。【００１３】  ４は、ネジ孔３−２に螺合する端面に六角孔を有する締め付けネジである。【００１４】  次に、本発明継手装置による回転軸と継手軸の連結方法について述べると、先ず、回転軸１の凹部１−２に継手軸２と一体の連結軸２−１を嵌合させた後、連結リング３の孔３−１を回転軸１と連結軸２−１の嵌合部の位置迄挿通し、連結リング３のネジ孔３−２が回転軸１のスリット１−１と略直交するように回転させ、ネジ孔３−２に螺合する締め付けネジ４を螺回して締め付ける。【００１５】  締め付けネジ４を螺回して締め付けると、凹部１−２が形成されることによって円筒状となった回転軸１の上端部分つまり肉厚が薄くなった側壁部分の外周が内方向に押され、スリット１−１があることと相俟ってこの側壁部分の内径が縮まって継手軸２と一体の連結軸２−１に強固に密着し、回転軸１と継手軸２が一体化するものである。【００１６】  尚、連結軸２−１の外周にローレットを形成しておけば摩擦力が増加し、回転軸１と継手軸２の一体化が更に強固なものとなるものである。
【発明の効果】
【００１７】  以上述べたように、本発明に係る回転軸の継手装置によれば、端部から長手方向に亘ってスリットを形成した回転軸と、同回転軸の端部に形成された凹部に嵌合する小径の連結軸を形成した前記回転軸と同径の継手軸及び前記回転軸と同径の孔を中央に形成した連結リングとから構成され、回転軸の上端の凹部に継手軸の連結軸を嵌合した後、連結リングの孔を前記回転軸と連結軸の嵌合部の位置迄挿通し、回転軸のスリットに対して略直交する位置において連結リングの外周から中央の孔に向かって形成されたネジ孔に螺合する締め付けネジによって回転軸と継手軸を固定するようにしたものであるから、端部から長手方向に亘ってスリットが形成されている回転軸の端部にスリットのない継手軸を溶接方法を用いることなく簡単に、且つ、強固に装着できるようになったもので、バルブ用アクチュエータに限らず気密保持が必要で、且つ、ゼンマイバネの復元力で出力軸を回転させるような装置には最適な継手装置といえるものである。
【図面の簡単な説明】
【００１８】
【図１】  本発明に係る継手装置によって連結した回転軸を使用したバルブ用アクチュエータの要部縦断側面図である。
【図２】  図１のＡ−Ａ線において回転軸を略９０°回転させた状態での拡大横断面図である。
【図３】  従来の回転軸を使用したバルブ用アクチュエータの要部縦断側面図である。
【符号の説明】
【００１９】      １          回転軸
２          継手軸
３          連結リング
４          締め付けネジ
【図１】
2006077968.tif 000003
【図２】
2006077968.tif 000004
【図３】
2006077968.tif 000005